Podtech/llm-jp-corpus-v4-ja_patent huggingface dataset:
(57)【要約】      （修正有）【課題】開封後にそのまま封筒内容物の保管使用ができる開封型封筒を提供する。【解決手段】封筒本体に開封用の切り開き部を備える。切り開き部が無端となって連続することでその切り開きにより封筒本体が２片に分離され、かつ、その分離状態において一方側片Ｂに封筒内容物の収納部が残るように構成される。【選択図】図６
0003158264.tif 000002
【実用新案登録請求の範囲】
【請求項１】
封筒本体に開封用の切り開き部を備える開封型封筒において、
前記切り開き部が無端となって連続することでその切り開きにより前記封筒本体が２片に分離され、かつ、その分離状態において一方側片Ｂに封筒内容物の収納部が残るように構成されてなることを特徴とする開封型封筒。
【請求項２】
前記切り開き部が、前記封筒本体の前面部を横断し、その両端から上下両縁部それぞれに沿って前記封筒本体の一方の端部に至り、その一方の端部縁において互いに接続される請求項１記載の開封型封筒。
【考案の詳細な説明】
【技術分野】
【０００１】  この考案は、開封型封筒の改良に関する。
【背景技術】
【０００２】  封筒を開封してその封筒内容物を確認後、その封筒の一端側をハサミでカットしてその残る側に封筒内容物を保管することがなされる。一方、封筒としてミシン目による切り開き部が設けられた開封型封筒があるが、このような開封片封筒は切り開いた状態においてその切り開いた側が残る他方の側に付いて残り、また、残る側に十分な収納部が確保されにくく、したがって開封後の封筒内容物の収納に用いることは難しかった。
【考案の概要】
【考案が解決しようとする課題】
【０００３】  この考案は、開封型封筒において開封後にそのまま封筒内容物が保管使用できるようにすることを目的とする。【０００４】  この考案では、封筒本体に開封用の切り開き部を備える開封型封筒において、前記切り開き部が無端となって連続することでその切り開きにより前記封筒本体が２片に分離され、かつ、その分離状態において一方側片に封筒内容物の収納部が残るように構成されてなる構成とする。【０００５】  上記構成によれば、封筒が切り開き部において開封されることで封筒本体は２片に分離され、その一方側片に封筒内容物の収納部が残る。これにより、その一方側片がそのまま封筒内容物の収納に使用できる。とくに切り開き部が封筒本体の前面部を横断し、その両端から上下両縁部それぞれに沿って前記封筒本体の一方の端部に至り、その一方の端部縁において互いに接続される構成とされることで、収納部を備える側に封筒本体の後面部が延び出す状態に残り、これにより収納部への封筒内容物の収納がその後面部を案内として容易に行われる。【０００６】
【考案の効果】
【０００７】  この考案によれば、開封後にそのまま封筒内容物を保管使用できる開封型封筒が得られる。
【図面の簡単な説明】
【０００８】
【図１】  この考案の開封型封筒の実施形態の正面図
【図２】  この考案の開封型封筒の実施形態の背面図
【図３】  この考案の開封型封筒製作に使用する基材シートの実施形態の展開図
【図４】  この考案の開封型封筒の実施形態の開封説明図
【図５】  この考案の開封型封筒の実施形態の開封説明図
【図６】  この考案の開封型封筒の実施形態の開封後の使用説明図
【考案を実施するための形態】
【０００９】  図１はこの考案の封筒の実施形態の正面図、図２は同背面図、図３は封筒製作に使用する基材シートの実施形態の展開図でその内面側を示す。開封型封筒１は紙製の封筒本体２に切り開き用のミシン目（開封用の切り離し部）６が形成されている。ミシン目６は、図３からも分かるように、無端となるように連続して形成されている。５はセロファンシート等よりなる破損防止用シートであり、封筒本体２の前面上部においてミシン目６の内面側に位置するように粘着材９により貼り付けられて取り付けられている。
【００１０】  開封型封筒１の製作は、基材シート１０の下側部１１が破損防止用シート５が貼られた中央部１２上に折り畳まれるとともに、その上部に上側部１４が折り畳まれて下側部１１と上側部１４との縁部どうしが貼り合わされ、さらに底部１５が上側部１４と下側部１１上に折り畳まれて貼り付けられることで行われる。
【００１１】  開封型封筒１の開封は、図４に示すように、ミシン目６により形成される裏面側の指かけ部２０を始めに切り離して立ち上げ、Ｘ位置を一方の手で押さえ、指かけ部２０近傍のＹ位置を他方の手で持ってミシン目６を切り離していき、さらに、左側に引っ張るようにしてミシン目６を切り離していく。これにより、指かけ部２０を一体する切り離し側Ａは、図５に示すように、両側に分かれるミシン目６に沿って他方の側Ｂから切り離されて開封される。
【００１２】  上記の指かけ部２０近傍のＹ位置を他方の手で持ってミシン目６を切り離す際に内容物Ｚを一緒に持ってしまう場合があるが、そのまま切り離そうとしてもミシン目６の内面側に破損防止用シート５があることで切り離しが阻止される。その場合には再びＹ位置において封筒本体２のみを持ち直すようにして切り離しを行い、これにより従来発生していた内容物Ｚの破損が確実に防止される。ミシン目６による指かけ部２０が設けられており、また、ミシン目６に湾曲部６ａが備えられていることで、切り離し作業が容易、かつ、スムーズになされる。
【００１３】  また、上記の切り離しに際して、破損防止用シート５のＸ位置が右手で押さえられていることで、破損防止用シート５は、図５に示すように、その位置に残り、粘着材９で貼られていることでその破損防止用シート５から側Ａが剥がれていく。さらに、ミシン目６が封筒本体２の端縁部２１にも設けられていて無端連続であることで、その側Ａは側（一方側片）Ｂから完全に取り外される。最後に、位置Ｘから手を離し、破損防止用シート５の露呈する部分を少し力をかけて引き出すことで、粘着材９による貼り付け部が剥がれることで破損防止用シート５が側Ｂから完全に取り外される。破損防止用シート５は側Ｂにおいて必ずしも粘着材９で貼り付けなくてもよいが、貼り付け固定されることで内容物Ｚの差し入れが、その破損防止用シート５の端部が邪魔となることなくスムーズに行える。
【００１４】  上記のように側Ａが完全に取り外されることで側Ｂは収納部３０を備えたきれいな形状に残り、これにより、図６に示すように、側Ｂはその収納部３０に内容物Ｚの一方側を納め保管するように使用することができる。また、セロファンシートよりなる破損防止用シート５が開封に伴い容易に側Ａ、側Ｂから取り外せることで、開封型封筒１はリサイクル使用に好適なものとなる。
【符号の説明】
【００１５】１    封筒
２    封筒本体
６    ミシン目（開封用の切り開き部）
３０  収納部
Ｂ    側（一方側片）
【図１】
0003158264.tif 000003
【図２】
0003158264.tif 000004
【図３】
0003158264.tif 000005
【図４】
0003158264.tif 000006
【図５】
0003158264.tif 000007
【図６】
0003158264.tif 000008
(57)【要約】      （修正有）【課題】一枚のシート材からなり、広告媒体としても利用できる靴べらを提供する。【解決手段】左右対称のシート状材料を対称中心部で二つ折りにし、踵当り部を接着し、握り部をループ状にする。【選択図】図１
0003158269.tif 000002
【実用新案登録請求の範囲】
【請求項１】
左右対称のシート状材料を対称中心部で二つ折りにし、踵当り部を接着し、通常の握り部をループ状にした靴べら。
【請求項２】
広告を印刷し媒体として利用することを特徴とする請求項１に記載の靴べら。
【請求項３】
前記、踵当り部に対して握り部のループの向きが直角方向にある靴べらで、平らに折りたたむことが出来る請求項１又は請求項２に記載の靴べら。
【考案の詳細な説明】
【技術分野】
【０００１】本考案は、靴べらを広告の媒体かつ機能性、携帯性を備えた靴べらに関する考案である。
【背景技術】
【０００２】従来の靴べらは、合成樹脂、木材で細長い形状に、踵の形に合わせた形状が一般的であるが、携帯型の靴べらも機能性がある靴べらが考案されている。（特許文献１）
【先行技術文献】
【特許文献】
【０００３】
【特許文献１】実登録３１５４０７２号
【考案の概要】
【考案が解決しようとする課題】
【０００４】従来の携帯型の靴べらは靴を履いた後、踵と靴の間に挟まっている靴べらを指と指でつかみ引張る行為をするが、本考案はつかむ力を必要としない靴べらで、かつ広告を入れた媒体としての靴べらを考案。【０００５】出先で他人が使用した靴べらは衛生的に、靴べらを使用する事を敬遠される場合もあり、靴べらを利用せず靴を履くとき指で無理に履いたり、つま先を地面に押し付け履く事で靴を傷める可能性がある。
【課題を解決するための手段】
【０００６】左右対称の１枚のシート状を中心部で二つ折りにしループ状を設けたことにより指を入れて靴を履く機能を備え、かつループ部を折たたむことが出来る図２−（Ｄ）ためポケットに邪魔にならず収納出来る機能を備える。一枚のシート材で印刷をし広告媒体としての利用を可能にした。
【考案の効果】
【０００７】使用時、靴べらが踵と靴の間に挟まれている状態で、ループ部に指を入れて靴べらを引き抜く力が非常に少なく、畳めば携帯性に優れており、印刷もできる靴べらとした。
【図面の簡単な説明】
【０００８】
【図１】本考案の靴べらの斜視図
【図２】本考案の靴べらの構成図
【図３】本考案の靴べらの使用状況図
【考案を実施するための考案】
【０００９】一枚の左右対称のシート材で構成される靴べら。展開時に印刷が可能で広告媒体として利用できる。
【００１０】構成する部品は左右対称図２−（Ｅ）−（ロ）の一枚シートから成り、打抜型で左右対称に加工し中心部折目図１−（Ｂ）−３で二つ折りにし、重なる部分の踵当て部を接着する加工の流れで簡単に製作が可能である。
【００１１】靴べらとして引っ張る部分がループになっているため指を差し込むことで、引っ張る力が少なく靴をスムーズに履く事が出来る。
【００１２】本考案靴べらはループ部を折りたたみ図２−（Ｄ）平らになるため携帯性に優れている。
【００１３】踵に当たる部分は抜型形状を変更することにより、さまざまな形に出来るため、ユニーク性に富んでいる。
【００１４】本考案の靴べらは、一枚の部品で構成され、図２−（Ｅ）に示すような中心部で左右対称なシート材を、図１−Ｂ−３中心部折目で二つ折にし、重なる部分図１−（Ｂ）−１踵当て部を接着し、図１−６ループ部を備える。
【００１５】材料は左右対称のシート材で、合成紙、合成樹脂、革で製作が出来る靴べら。
合成樹脂は、金型成型により一体成型してもよい。また合成紙を利用することで広告印刷も可能になる。
【００１６】ループ部形状は丸形状および、多角形状で、ループ部の内側に折目を設けて、数の増減させて多角形のループ形状にしてもよい。
【００１７】表面膜処理を施すことで踵が滑りやすくなり、靴べらの耐久性も良くすることが出来る。
【００１８】踵当て部の形状は、図２−（Ｅ）−（ロ）の展開図に限らず、抜型形状を変更することによりユニーク性に富み、広告のキャラクターの輪郭やロゴ、長方形や丸型などさまざまな形状にしてもよい。
【００１９】靴を脱いで利用する施設で、靴べらをノベルティーで渡すことで、広告媒体となり、ショップカードと違い常に携帯しうる靴べらであるため広告効果も期待できる。
【００２０】本考案の靴べらは可撓性のあるシート材を材料とするため、使用時に踵に沿い、使用しないときは、ループ部も踵当て部も平らになるため携帯性に優れ、名刺サイズにすることで名刺入れに収納する事が出来る。
【００２１】出先で他人が利用した靴べらは衛生的に、使いたくない人も居り、使いたいとき近くにないなど、１人一枚の靴べらで衛生的に利用できる。
【符号の説明】（イ）・・靴べら
（ロ）・・展開図
（ハ）・・開閉部
１・・・踵当たり部
２・・・折目
３・・・折目中心部
４・・・折目
５・・・接着部
６・・・ループ部
【図１】
0003158269.tif 000003
【図２】
0003158269.tif 000004
【図３】
0003158269.tif 000005
(57)【要約】      （修正有）【課題】はいたままで、はだしの作業も可能にする、パンティストッキングを提供する。【解決手段】パンティストッキング本体１から、つま先３と、かかと部分４を、カット２し土踏まず部分を引掛けて着用する。さらに、はだしになる必要がある時は、引掛けた土踏まず部分をはずし、該ストッキングをまくり上げて作業する。【選択図】図１
0003158202.tif 000002
【実用新案登録請求の範囲】
【請求項１】
・従来あります、パンティストッキングの、つま先と、かかとを、カットし、機能的にしたもの。
【考案の詳細な説明】
【考案が解決しようとする課題】
【０００１】保温のため、ズボンの下に、パンティストッキングを、はく事が、あるが水場等へ行く時には、足首から下を、はずしたい時がある。
【課題を解決するための手段】
【０００２】土踏まずの所だけに、ストッキングをかけ、それだけ、はずせば良い。
【考案の効果】
【０００３】その上に、ソックスを、はいても、スッキリし、パンティストッキングを、はいたまま、足指等のケアや、治療も出来る。
【図面の簡単な説明】
【図１】ストッキング本体と、カット部分を、示した、図である。
【図２】考案した、カット状態を示した図である。
【符号の説明】１、パンティストッキング本体
２、カット部分
３、指先
４、かかと
【図１】
0003158202.tif 000003
【図２】
0003158202.tif 000004
【手続補正書】
【提出日】平成21年10月28日(2009.10.28)
【手続補正１】
【補正対象書類名】実用新案登録請求の範囲
【補正対象項目名】全文
【補正方法】変更
【補正の内容】
【実用新案登録請求の範囲】
一般的な「パンティストッキング」のつま先と、かかと部分を、カットし、機能的にした、パンティストッキング。
【手続補正２】
【補正対象書類名】明細書
【補正対象項目名】全文
【補正方法】変更
【補正の内容】
【考案の詳細な説明】
【考案が解決しようとする課題】
【０００１】保温のため、ズボンの下に、パンティストッキングを、はく事があるが、水場等へ行く時には、足首から下を、はずしたい場合がある。
【課題を解決するための手段】
【０００２】土踏まずの部分だけに、ストッキングを、かけ、そこだけ、はずせば良い。
【考案の効果】
【０００３】パンティストッキングを、はいた上に、ソックスをはいても、足指等がスッキリし、足指のケアや、治療も出来る。
【図面の簡単な説明】
【図１】ストッキング本体とカット部分を、示した図である。
【図２】考案した、カット状態を示した図である。
【符号の説明】１、パンティストッキング本体
２、カット部分
３、つま先
４、かかと
【手続補正３】
【補正対象書類名】図面
【補正対象項目名】全図
【補正方法】変更
【補正の内容】
【図１】
0003158202.tif 000005
【図２】
0003158202.tif 000006
【手続補正書】
【提出日】平成22年1月6日(2010.1.6)
【手続補正１】
【補正対象書類名】実用新案登録請求の範囲
【補正対象項目名】全文
【補正方法】変更
【補正の内容】
【実用新案登録請求の範囲】
【請求項１】
・パンティストッキングのつま先とかかと部分を、カットしたことを、特徴とする、パンティストッキング。
(57)【要約】      （修正有）【課題】赤、青、黄緑、３原色ＬＥＤの光色のミックスにより多色光を表現照明するミックス自動多色光照明器を提供する。【解決手段】２色ＬＥＤ赤と青、青と黄緑、黄緑と赤、の組み合わせと、各ＬＥＤに三角波電圧遅延コントロール制御を行う。また、照明ガラスに光が拡散ミックスの効率を高めるため半透明白ガラスを使用し、内面より間接照明でやわらかいリラックスの出来る癒し効果を強調できる様にして照明器を構成する。【選択図】図１
0003158209.tif 000002
【実用新案登録請求の範囲】
【請求項１】
（図３）三角波輝度特性自動動作によるミックス自動多色光ＬＥＤ照明器。
【請求項２】
三角波輝度特性自動動作を６停止スイッチで任意の光色に停止固定照明できる請求項１に順ずるＬＥＤ照明器。
【考案の詳細な説明】
【技術分野】
【０００１】  本考案は光源を赤、青、黄緑色ＬＥＤを使用した照明器に関する。
【背景技術】
【０００２】  従来の多色ＬＥＤ照明器は各色単体ＬＥＤを切換える照明器である。
【考案の開示】
【考案が解決しようとする課題】
【０００３】  従来の多色照明は各色単体ＬＥＤ照明方式であるが本考案は赤、青、黄緑色ＬＥＤを３原色とし、いかに光をミックスして多色光で照明するかが解決するかが課題である。
【課題を解決するための手段】
【０００４】  本考案ではＬＥＤを３色点灯すると白色に近くなるので２色の光を基本にミックスし、また各色ＬＥＤ輝度を三角波形電圧自動コントロールで行い赤、青、黄緑の発光スタートタイミングを半波形ずらし、ずれながら赤と青、青と黄緑、黄緑と赤、赤と青と自動繰り返し点灯して各色の輝度強弱比率によるミックス光色で解決し多色光照明器とする。【０００５】  光色のミックス照明のため半透明の白ガラスを使用し全体に均一に広がるように球形ガラスを利用した、また自動変光色中、任意の光色で自動コントロールを停止し希望色に固定照明や白色光にして一般的照明器としても利用できる。
【考案の効果】
【０００６】  ゆるやかな一定のスピードで多光色が変化照明しながら内蔵アンプに癒し音楽を流すことによりいつそう視覚と聴覚に刺激を与え頭脳のシーダー波の周波によりベーター波をアルファー波に復元させ脳のアルファー波の増出を助けストレスを低減リラックスして心を癒す効果がある。
【考案を実施するための最良の形態】
【実施例】
【０００７】  本考案の図面に従って説明する、（図１）は自動多色光照明器外観正面図で１球形半透明白ガラス２ガラス固定リング３ＬＥＤ制御内蔵本体４ＤＣ９Ｖ電源入力プラグ５ＬＥＤ多光動作照明とＬＥＤ白光照明切換スイッチ６任意光色照明固定スイッチ７癒し音楽信号入力プラグからなる照明器。【０００８】  （図２）照明器球形ガラスとＬＥＤ基板断面図で１球形半透明白ガラス２ガラス固定リング３ＬＥＤ制御内蔵本体８ガラス固定ネジ４箇所９白色ＬＥＤブロック１０赤色ＬＥＤブロック１１青色ＬＥＤブロック１２黄緑色ＬＥＤブロックのミックス光照明内部構成。【０００９】  （図１）（図２）は外観や構造の説明であるが（図３）はＬＥＤ供給電圧動作カーブ図で本考案である赤、青、黄緑ＬＥＤの光ミックスの動作原理について説明します４ＤＣ９Ｖ電源入力プラグに１３ＤＣ９Ｖレギュレーターのジャックを差込５スイッチをＬＥＤ多色動作照明側に切換６スイッチは動作側に切換えると各ＬＥＤの動作が始まる、【００１０】  １００％とは各ＬＥＤの輝度１００％の供給電圧をあらわす、Ｔ１からＴ９は動作経過時間の流れをあらわす、【００１１】  初めに赤ＬＥＤの供給電圧がＴ１からＴ２に向かって輝度が強くなるように上昇し１００％になると供給電圧がＴ３に向かって降下始めると同時に青ＬＥＤの供給電圧がＴ２からＴ３に向かって輝度が強くなるように上昇しＴ２とＴ３の赤ＬＥＤと青ＬＥＤ輝度の比率の変化によって赤と青の時間色変化を表現照明する事が出来る、
青ＬＥＤがＴ３の１００％になると同時にこんどは黄緑ＬＥＤの供給電圧がＴ４に向かって上昇をはじめ青ＬＥＤの電圧が下降はじめ青ＬＥＤと黄緑ＬＥＤの輝度の比率の変化によって青と黄緑の時間色変化を表現照明する、
黄緑ＬＥＤがＴ４の１００％になると同時に再度赤ＬＥＤの供給電圧が上昇をはじめ黄緑ＬＥＤの電圧が下降はじめ赤ＬＥＤと黄緑ＬＥＤ輝度の比率の変化によって赤と黄緑の時間色変化を表現照明する、
赤ＬＥＤがＴ５時１００％になると再度青ＬＥＤの電圧がＴ６時の向かって上昇はじめ赤ＬＥＤの電圧がＴ６の向け下降し、最初のパタンに戻り繰り返しミックス光色をガラス内面から間接多色照明を行い視覚を刺激し脳のアルファー波を増やしリラックスする癒し効果がある、【００１２】  一般的照明として利用する２通りの方法があり１つめは任意の光色に固定照明したい時に６スイッチを停止側にすることで任意光色照明をする事が出来る、
２つめは白光照明をするには５スイッチを白側にすることで白光照明が出来ます、
その時はミックス光動作は表示しないが動作中です、
【図面の簡単な説明】
【００１３】
【図１】  自動多色光照明器外観正面図
【図２】  照明器球形ガラスとＬＥＤ基板断面図
【図３】  自動多色ミックスカラーの各ＬＥＤ供給電圧動作カーブ図
【符号の説明】
【００１４】  １  球形半透明白ガラス
２  ガラス固定リング
３  ＬＥＤ制御内蔵本体
４  ＤＣ９Ｖ電源入力プラグ
５  ＬＥＤ多光動作照明とＬＥＤ白光照明切換スイッチ
６  任意光色照明固定切換スイッチ
７  癒し音楽信号入力プラグ
８  ガラス固定ネジ
９  白色ＬＥＤブロック
１０赤色ＬＥＤブロック
１１青色ＬＥＤブロック
１２黄緑色ＬＥＤブロック
１３ＤＣ９Ｖレギュレーター電源器
【図１】
0003158209.tif 000003
【図２】
0003158209.tif 000004
【図３】
0003158209.tif 000005
【手続補正書】
【提出日】平成21年12月19日(2009.12.19)
【手続補正１】
【補正対象書類名】実用新案登録請求の範囲
【補正対象項目名】全文
【補正方法】変更
【補正の内容】
【実用新案登録請求の範囲】
【請求項１】
球形半透明白ガラスの下部内側に赤青黄緑ＬＥＤブロックを取付けた基板を組合せた自動多色照明器。
(57)【要約】      （修正有）【課題】持ち運びおよび収納にも便利なコンパクトな形状を有するゴムひもの入れ換え用具入れを提供する。【解決手段】ゴムひもと、はさみと、ゴム通し又はひもを通す用具と、安全ピンと、針と、糸と、からなり、各用具を収納するポケットを有する。【選択図】図１
0003158208.tif 000002
【実用新案登録請求の範囲】
【請求項１】
ゴムひもの入れ換え用具のコンパクトな一揃えのセット。
【考案の詳細な説明】
【技術分野】
【０００１】  本考案は、ゴムひもの入れ換え用セットに関する。
【背景技術】
【０００２】  従来、ゴムひもの入れ換え用具は、裁縫箱や家具に収納している。
【考案が解決しようとする課題】
【０００３】  従来、ゴムひもの入れ換え用具において、一揃えのセットは無かった。
【課題を解決するための手段】
【０００４】  本考案は、上記課題を解決するために、ゴムひもの入れ換え用具をコンパクトな一揃えのセットにしたものである。
【考案の効果】
【０００５】  上記のゴムひもの入れ換え用セットにおいては、入れ換え時、用具がコンパクトに一揃えになっているので、持ち運びおよび収納にも便利であり、特に単身赴任、学生等の家庭用品の一つとして提供できる。
【考案を実施するための形態】
【０００６】  本考案の実施の形態を実施例に基づき図面により説明する。
【実施例】
【０００７】  図１においては、１  ゴム収納ポケット
２  ゴム収納ポケットのふた
３  はさみ、入れ換え用具２種類の収納ポケット
４  はさみのふた
５  針と糸の収納ポケット（ファスナー付き）
６  入れ換え用具としての安全ピン差し布
図２においては、７  図１を半分に折りたたんだもの
８  ７の留め具
【図面の簡単な説明】
【０００８】  図１の１は市販のゴムの徳用サイズ、普通サイズ等が数個収納できるように、充分な大きさと深さがあり、ゴムひもが収納されている。
２は１のふたであり、マジックテープで留めている。
３は、ゴムを通したひもとおし用具の２種類と小型のはさみを収納するポケットであり各用具が収納されている。
４は３のはさみのふたであり、はさみが固定されるように位置し、マジックテープで留めている。
５はゴムの両端を結ばない場合に使用する針と糸を収納するポケットであり、ファスナーで開閉する。
６はゴムひもを通す時、使用する安全ピン差し布で安全ピンが収納されている。
７は図１を半分にたたんだもの。
８は７をマジックテープで留めている。
図３は図２の裏面。
【図１】
0003158208.tif 000003
【図２】
0003158208.tif 000004
【図３】
0003158208.tif 000005
【手続補正書】
【提出日】平成21年12月24日(2009.12.24)
【手続補正１】
【補正対象書類名】実用新案登録請求の範囲
【補正対象項目名】全文
【補正方法】変更
【補正の内容】
【実用新案登録請求の範囲】
【請求項１】
ゴムひもと、はさみと、ゴム通し又はひもを通す用具と、安全ピンと、針と、糸と、からなる用具一式を収納する用具入れであり、各用具を収納するポケットを有し、持ち運びおよび収納にも便利なコンパクトな形状を有するゴムひもの入れ換え用具入れ。
【手続補正２】
【補正対象書類名】明細書
【補正対象項目名】全文
【補正方法】変更
【補正の内容】
【考案の詳細な説明】
【技術分野】
【０００１】  本考案は、ゴムひもの入れ換え用具入れに関する。
【背景技術】
【０００２】  従来、ゴムひもの入れ換え用具は、裁縫箱や家具に収納している。
【考案が解決しようとする課題】
【０００３】  従来、ゴムひもの入れ換え用具において、一式を収納し、かつ、持ち運び可能な用具入れは無かった。
【課題を解決するための手段】
【０００４】  本考案は、上記課題を解決するために、ゴムひもの入れ換え用具を一式に収納し、かつ、コンパクトにしたものである。
【考案の効果】
【０００５】  上記のゴムひもの入れ換え用具入れにおいては、コンパクトな一式収納になっているので、持ち運びおよび収納にも便利であり、特に単身赴任者、また家族個人々人の家庭用品の一つとして提供できる。
【図面の簡単な説明】
【０００６】
【図１】使用例図である。
【図２】半分に折りたたんだ図である。（表面）
【図３】半分に折りたたんだ図である。（裏面）
【考案を実施するための形態】
【０００７】  本考案の実施の形態を実施例に基づき図面により説明する。
【０００８】  図１の１は市販のゴムの徳用サイズ、普通サイズ等が数個収納できるように、充分な大きさと深さがあり、ゴムひもが収納されている。
２は１のふたでありマジックテープ（登録商標）で留めている。
３はゴム通し又はひもを通す用具と小型のはさみを収納するポケットであり各用具が収納されている。
４は３のはさみのふたであり、はさみが固定されるように位置し、マジックテープ（登録商標）で留めている。
５はゴムの両端を結ばない場合に、使用する針と糸を収納するポケットであり、ファスナーで開閉する。
６はゴムひもを通す時、使用する安全ピン差し布で安全ピンが収納されている。
７は図１を半分にたたんだもの。
８は７をマジックテープ（登録商標）でとめている。
【符号の説明】
【０００９】  １  ゴム収納ポケット
２  ゴム収納ポケットのふた
３  はさみ、入れ換え用具２種類の収納ポケット
４  はさみのふた
５  針と糸の収納ポケット（ファスナー付き）
６  入れ換え用具としての安全ピン差し布
７  図１を半分に折りたたんだもの
８  ７の留め具
(57)【要約】      （修正有）【課題】チューインガム、チョコレート、キャンディーなどの目覚め効果が高い食物がアラーム音と同時に出てきて、それを食べることによって、触覚と味覚が刺激され、心地よい目覚めが得られる目覚まし時計を提供する。【解決手段】食物１は、アラーム音と同時に食物供給機構部３の出口５から出てきて受け皿２の中心に置かれる。食物１の有無は食物検出機構部４に設置された非接触検出器によって検出され、人が食物１を取り去ると信号を発し、アラーム音が止まる仕組みになっている。【選択図】図１
0003158207.tif 000002
【実用新案登録請求の範囲】
【請求項１】
アラーム音と同時に、予めセットした食物が出てきて受け皿に置かれ、人が受け皿に置かれた食物を取り去るとアラーム音が鳴り止むことを特徴とした目覚まし時計。
【考案の詳細な説明】
【技術分野】
【０００１】  本発明は、チューインガム、チョコレート、キャンディーなどの食物を提供することによって、心地よく目覚めるようにした目覚まし時計に関するものである。
【背景技術】
【０００２】  目覚まし時計は、もっぱら人の聴覚を刺激することによって、目覚めを促しているが、聴覚を刺激するだけでは心地よい目覚めは得られない。人にとってアラーム音は警告にすぎないので、中にはアラーム音を止めてしまう者もいる。心地よい目覚めを得るためには、アラーム音に加えて心地よさを提供する他の手段がなければならない。【０００３】  心地よい目覚めを得る手段として、文献１、２、３のような香りを発生する方法がある。香りは心地よい目覚めを得るには効果があるが、習慣性になりやすいという欠点がある。
【先行技術文献】
【特許文献】
【０００４】
【特許文献１】特許公開２００４−２７９３９６
【特許文献２】登録実用新案３０７１９２０
【特許文献３】特許公開２００３−３１１１９１
【考案の概要】
【考案が解決しようとする課題】
【０００５】  従来の目覚まし時計は、アラーム音によって聴覚を刺激して目覚めさせているために、心地よい目覚めを得ることはできない。それは、アラーム音には警告的なマイナスのイメージが伴うからである。
心地よい目覚めを得るには、アラーム音のようなマイナスのイメージではなく、目覚めることがうれしいというプラスのイメージを与えなくてはならない。いかにして、プラスのイメージを与えるかが課題である。【０００６】  本発明は、チューインガム、チョコレート、キャンディーなどの目覚め効果が高い食物がアラーム音と同時に出てきて、それを食べることによって、触覚と味覚が刺激され、心地よい目覚めが得られる目覚まし時計を提供することを目的とする。
【課題を解決するための手段】
【０００７】  図１は本発明の目覚まし時計の概観図である。図１で、１は食物、２は受け皿、３は食物供給機構部、４は食物検出機構部、５は食物供給機構部の出口、６は時計部を示す。食物１は、アラーム音と同時に食物供給機構部３の出口５から出てきて受け皿２の中心に置かれる。食物１の有無は食物検出機構部４に設置された非接触検出器によって検出され、人が食物１を取り去ると信号を発し、アラーム音が止まる仕組みになっている。【０００８】  図２はアラーム信号を受けて食物を一つずつ繰り出す仕組みを示す。食物１は食物用ホッパー７に多数セットされている。出口５は出口シャッター１１によって閉じられており食物は出でこない。出口に一番近い食物９と二番目に近い食物８の間は遮蔽板１０で仕切られている。
アラーム信号が出ると、出口用電磁ソレノイド１３によって出口シャッター１１が後退し、食物９が落下する。次に出口用電磁ソレノイド１３によって出口シャッター１１が出口５を閉じた後、遮蔽板１０を遮蔽板用電磁ソレノイド１２によって後退させる。すると食物８が出口５の近くに移動し、食物用ホッパー７から食物が１つずつ順番に下方へ移動する。ここで、遮蔽板用電磁ソレノイド１２によって遮蔽板１０を前進させ、元の状態にする。この一連の動作をアラーム信号によって行い、食物を１つずつ繰り出す。【０００９】  図３は受け皿に置かれた食物の存在を検出する仕組みを示す。受け皿２の中心には穴が開いており、下方に設置された光学式の非接触検出器１４によって、食物の有無が分かるようになっている。人が受け皿２に置かれた食物を取り去ると、非接触検出器１４が信号を発しアラーム音が止まる。
【考案の効果】
【００１０】  上述したように、本発明は目覚め効果が高い食物を提供し、人は提供された食物を食べることにより、アラーム音だけでは得られない心地よい目覚めを得ることができる。セットする食物の形状と大きさを同じにすれば、チューインガム、キャンディー、チョコレート等を混在させることも可能で、今朝は何が出てくるかといった期待感が生まれる。
【図面の簡単な説明】
【００１１】
【図１】目覚まし時計の概観図
【図２】食物を１つずつ繰り出す仕組み図
【図３】受け皿に置かれた食物の存在を検出する仕組み図
【考案を実施するための形態】
【実施例】
【００１２】  本発明に適用する食物は、目覚め効果の高いチューインガム、コーヒーキャンディー、苦みのあるチョコレート等が望ましい。また、紙やアルミ箔でくるむか、砂糖でくるんで固めた球状の固形型食物が適している。
【産業上の利用可能性】
【００１３】  本発明に、キシリトールチューインガムをセットすると虫歯の予防と口臭を消す効果がある。ビタミンＣを多く含むキャンディーをセットするとビタミンＣを定期的に摂取することができ、健康に有益な食物の新たな販路が拓ける。
【符号の説明】
【００１４】  １  食物
２  受け皿
３  食物供給機構部
４  食物検出機構部
５  食物供給機構部の出口
６  時計部
７  食物用ホッパー
８  出口から二番目に近い食物
９  出口に一番近い食物
１０  遮蔽板
１１  出口シャッター
１２  遮蔽板用電磁ソレノイド
１３  出口シャッター用電磁ソレノイド
１４  非接触検出器
【図１】
0003158207.tif 000003
【図２】
0003158207.tif 000004
【図３】
0003158207.tif 000005
【手続補正書】
【提出日】平成21年12月18日(2009.12.18)
【手続補正１】
【補正対象書類名】実用新案登録請求の範囲
【補正対象項目名】全文
【補正方法】変更
【補正の内容】
【実用新案登録請求の範囲】
【請求項１】
予め設定した時刻に時計部のタイムスイッチによりアラームを作動させると同時に食物供給機構のアクチュエータを駆動させてホッパーから食物１個を繰り出して受け皿に置き、受け皿に置かれた食物が取り去られたら、食物がなくなったことを食物検出機構の非接触検出器で検出してアラームを停止させる目覚まし時計。
(57)【要約】      （修正有）【課題】はきやすく、ぬげにくいスリッパを提供する。【解決手段】スリッパの足入部の内側に弾性発泡体をとりつけることにより、その反発力、復原力により足入部が広くても足とスリッパを固定する。【選択図】図１
0003158253.tif 000002
【実用新案登録請求の範囲】
【請求項１】
スリッパの足入部の内側に反発力と復原力を有する弾性発泡体を接着させ、足を足入部に入れた時に足とスリッパを固定して脱落を防止することを特徴とするスリッパ。
【考案の詳細な説明】
【技術分野】
【０００１】  本考案はスリッパに関する。
【背景技術】
【０００２】  従来のスリッパは屋内で履いたり脱いだりする頻度が多く、又足の大小に対応する為に、履きやすくするように足入部が広かった。
【考案の開示】
【考案が解決しようとする課題】
【０００３】  しかし、これでは足入部が広い為、足がスリッパに固定されることがなく脱げやすく、転倒するなど重大な事故の原因となっていた。
【課題を解決するための手段】
【０００４】  そこで足入部の内側に弾性発泡体を接着することにより、足を入れた時に弾性発泡体のもつ反発力、復原力によって足とスリッパが固定されるのである。
【考案の効果】
【０００５】  よって本考案のスリッパは弾性発泡体の反発力と復原力により足とスリッパを固定するので歩行途中で脱落する従来のスリッパの欠点を補うことが出来る。
【考案を実施するための最良の形態】
【０００６】  本考案の実施の一例を図を用いて説明する。図１の４はスリッパの底であり２は足入部で、本実施例では２の内側１の部分に弾性発泡体がとりつけられている。この弾性発泡体は図３の７、８、９に示すように足入部全体であってもよいし、天井部だけであっても、両側面だけであってもよい。図３の１０、１１、１２、１３は弾性発泡体取付例の後方正面から見た図である。足入部生地の中に弾性発泡体をはさみこんだスリッパも試したが反発力、復原力が減殺され製造コストが高いという欠点がわかった。このように本考案は従来のスリッパに較べて足３を入れた時に弾性発泡体１の存在によって、はきやすく、ぬげにくいものとなった。
【図面の簡単な説明】
【０００７】
【図１】本考案に係るスリッパをはいている状態の断面図である。
【図２】従来のスリッパの断面図である。
【図３】弾性発泡体を接着した本考案のスリッパを示したものである。
【符号の説明】
【０００８】１  弾性発泡体              ８  弾性発泡体取付の断面
２  足入部                  ９  弾性発泡体取付の断面
３  足                    １０  弾性発泡体取付例後方正面
４  スリッパ底部          １１  弾性発泡体取付例後方正面
５  従来のスリッパ        １２  弾性発泡体取付例後方正面
６  従来のスリッパ        １３  弾性発泡体取付例後方正面
７  弾性発泡体取付の断面
【図１】
0003158253.tif 000003
【図２】
0003158253.tif 000004
【図３】
0003158253.tif 000005
(57)【要約】      （修正有）【課題】全コースのギャラリーへの視聴覚サービスを向上させるゴルフ場スコアボードを提供する。【解決手段】飛行船、熱気球又はアドバルーン１、に設けたスピーカ付きゴルフスコアボード２、をオペレータ３、により運用する。ギャラリー監視カメラ４、がオペレータの運用を支援する。【選択図】図１
0003158259.tif 000002
【実用新案登録請求の範囲】
【請求項１】
飛行船、熱気球又はアドバルーンでつり下げたゴルフ場スコアボード。
【請求項２】
スピーカーを具備した請求項１記載のゴルフ場スコアボード。
【請求項３】
ギャラリー監視カメラを具備した請求項１記載のゴルフ場スコアボード。
【考案の詳細な説明】
【技術分野】
【０００１】
本考案は、従来のゴルフ場スコアボードとしての１８コース対応ゴルフ場スコアボードに関する。
【背景技術】
【０００２】
１８コース目の最終コース定位置にギャラリー用ゴルフ場スコアボードがあります。
【考案の開示】
【考案が解決しようとする課題】
【０００３】
しかしながら、定位置地上設置ゴルフ場スコアボードでは、ギャラリーのコース移動に伴う情報提供にサービス不足がある。
【０００４】
本考案は、上記実情に鑑みてなされたものであり、１８コース全コースのどのギャラリーにも視聴覚サービスを満足する事を目的としている。
【課題を解決するための手段】
【０００５】
上記目的を達成するため考案は、ゴルフ場スコアボードにスピーカを設けて、地上より空中に浮揚移動操作することであり、次の構成を含むことを特徴としている。
飛行船、熱気球又はアドバルーンにつり下げたスピーカ付きゴルフスコアボードをオペレータがギャラリー監視カメラの支援により運用する構成である。
【考案の効果】
【０００６】
本考案により、１８コース全コースのどのギャラリーにも満足する視聴覚サービスを提供するゴルフ場スコアボードにできる。
【図面の簡単な説明】
【０００７】
【図１】本考案のゴルフ場スコアボードである。ゴルフ場スコアボードは、図１に示すように、飛行船、熱気球又はアドバルーン１、スピーカ付きゴルフスコアボード２、ギャラリー監視カメラ４、であります。
【考案を実施するための形態】
【０００８】
本考案の実施の形態の一例について、図面を参照しながら説明する。
ゴルフ場スコアボードは、図１に示すように、飛行船、熱気球又はアドバルーン１、につり下げたスピーカ付きゴルフスコアボード２、をギャラリー監視カメラ４、で監視しているオペレータ３、がギャラリーへの視聴覚サービス向上を計るものである。
【符号の説明】
【０００９】
１          飛行船、熱気球又はアドバルーン
２          スピーカ付きゴルフスコアボード
３          オペレータ
４          ギャラリー監視カメラ
0003158259.tif 000003
【手続補正書】
【提出日】平成22年1月22日(2010.1.22)
【手続補正１】
【補正対象書類名】図面
【補正対象項目名】図１
【補正方法】変更
【補正の内容】
【図１】
0003158259.tif 000004
(57)【要約】      （修正有）【課題】濾過部材に吸着した汚染物を自動的に分離排出することで、浄化作用の低下が少ない濾過装置を提供する。【解決手段】濾過装置は、少なくとも、濾過筒１と、主支持枠２と、駆動モータ３と、濾過部材支持枠４と、少なくとも１つの濾過部材５と、からなり、濾過筒は、頂上に、開口を有し、上部と下部の傍側に、出水口１２と入水口１１を設け、を設置し、主支持枠は、濾過筒の内周辺に配設し、中央に、軸受具備する軸受台座２１を有し、軸受台座の上方に、モータ台座２２を設け、駆動モータは、前記モータ台座の上に配置し、濾過部材支持枠４と濾過部材５を連動旋回の作動力を提供し、濾過部材支持枠４は、中央に、枢軸４１を設け、該枢軸の上端は、軸受台座の軸受を穿入延伸して、駆動モータと連結し、少なくとも１つの濾過部材は、濾過部材支持枠の中に取り付け、水流中の汚染物を吸着して、水流を浄化し、前記駆動モータと、濾過部材支持枠と、濾過部材との連動旋回で、遠心力より、吸着した汚染物を分離する。【選択図】図１
0003158275.tif 000002
【実用新案登録請求の範囲】
【請求項１】
濾過装置であって、その構造は、
少なくとも、濾過筒と、主支持枠と、駆動モータと、濾過部材支持枠と、少なくとも１つの濾過部材と、からなり、
濾過筒は、頂上に、開口を有し、上部と下部の傍側に、出水口と入水口を設け、を設置し、
主支持枠は、濾過筒の内周辺に配設し、中央に、軸受具備する軸受台座を有し、軸受台座の上方に、モータ台座を設け、
駆動モータは、前記モータ台座の上に配置し、濾過部材支持枠と濾過部材を連動旋回の作動力を提供し、
濾過部材支持枠４は、中央に、枢軸を設け、該枢軸の上端は、軸受台座の軸受を穿入延伸して、駆動モータと連結し、
少なくとも１つの濾過部材は、濾過部材支持枠の中に取り付け、水流中の汚染物を吸着して、水流を浄化し、前記駆動モータと、濾過部材支持枠と、濾過部材との連動旋回で、遠心力より、吸着した汚染物を分離することを特徴とする濾過装置。
【考案の詳細な説明】
【技術分野】
【０００１】
この考案は、水質の濾過装置に関し、特に、水産養殖用の養水循環利用の濾過で、濾過部材に吸着した汚染物を自動的に分離排出する濾過装置に関する。
【背景技術】
【０００２】
従来の水産養殖用の養水循環利用の濾過装置は、養殖池等の水槽の水を、水槽から、濾過装置に導入し、浄化された水は、さらに、もとの水槽に戻れる。濾過部材に吸着した汚染物は、細菌を生じ、細菌が汚染物を分解する。
【考案の開示】
【考案が解決しようとする課題】
【０００３】
前述従来の水産養殖用の養水循環利用の濾過装置は、濾過部材に吸着した汚染物は、細菌を生じ、細菌が汚染物を分解するが、余分な汚染物が濾過部材に吸着したら、水流速度を落とし、細菌の分解効率も低減、浄化作用がだんだんなくなる。
この考案は、以上の問題を解決し、濾過部材に吸着した汚染物を自動的に分離排出する濾過装置を提供することを課題とする。
【課題を解決するための手段】
【０００４】
そこで、本考案者は従来の技術に見られる欠点に鑑み鋭意研究を重ねた結果、濾過装置は、
少なくとも、濾過筒と、主支持枠と、駆動モータと、濾過部材支持枠と、少なくとも１つの濾過部材と、からなり、
濾過筒は、頂上に、開口を有し、上部と下部の傍側に、出水口と入水口を設け、を設置し、
主支持枠は、濾過筒の内周辺に配設し、中央に、軸受具備する軸受台座を有し、軸受台座の上方に、モータ台座を設け、
駆動モータは、前記モータ台座の上に配置し、濾過部材支持枠と濾過部材を連動旋回の作動力を提供し、
濾過部材支持枠４は、中央に、枢軸を設け、該枢軸の上端は、軸受台座の軸受を穿入延伸して、駆動モータと連結し、
少なくとも１つの濾過部材は、濾過部材支持枠の中に取り付け、水流中の汚染物を吸着して、水流を浄化し、前記駆動モータと、濾過部材支持枠と、濾過部材との連動旋回で、遠心力より、吸着した汚染物を分離する。
【考案の効果】
【０００５】
この考案によれば、濾過装置は、濾過部材に吸着した汚染物を自動的に分離排出する。
水産養殖用の養水循環利用の濾過が必要ので、水産養殖産業の効率に貢献する。
【実施例】
【０００６】
図１〜４に、この考案の濾過装置の実施例より構造の説明図を開示する。図面によれば、この考案による濾過装置は、濾過筒１と、主支持枠２と、駆動モータ３と、濾過部材支持枠４と、複数の濾過部材５と、濾過筒蓋６と、からなり、濾過筒１は、頂上に、開口を有し、上部と下部の傍側に、出水口１２と入水口１１を設け、底部に、排汚口１４を設置し、下方に、支持脚１３を設け、主支持枠２は、濾過筒１の内周辺に配設し、中央に、軸受具備する軸受台座２１を有し、軸受台座２１の上方に、モータ台座２２を設け、モータ台座２２の中央に、軸受台座２１の軸受と相対する位置に、中央孔２２１を設け、駆動モータ３は、前記モータ台座２２の上に配置し、駆動モータ３の駆動で、軸ざや３１を回転させ、該軸ざや３１は、中央孔２２１を穿入延伸し、濾過部材支持枠４は、中央に、枢軸４１を設け、該枢軸４１の上端は、軸受台座２１の軸受を穿入延伸し、前記該軸ざや３１と連結し、複数の濾過部材５は、濾過部材支持枠４の中に取り付け、濾過筒蓋６は、濾過筒１の頂上に、駆動モータ３と濾過筒１を、ともに覆い付け封じ込める。
養殖池等の水槽の水を濾過するには、水槽から、水を入水口１１より、濾過筒１に導入し、水流の流れる過程に、水流中の汚染物は、濾過筒１内の濾過部材５と接触し、濾過部材５に吸い付けられ、さらに、出水口１２より、もとの水槽に戻り、よって循環水流を形成し、
而して、濾過部材５に余分な汚染物を吸着されば、浄化効果、或いは、水流の速度が低減し、その時に、駆動モータ３を起動させ、濾過部材支持枠４と濾過部材５を連動旋回し、遠心力の作用で、濾過部材５に吸着された汚染物を分離させ、濾過筒１の内壁と接触し、下の濾過筒１の底部へ流れ、排汚口１４より排出となる。
【図面の簡単な説明】
【０００７】
【図１】この考案の分解斜視図である。
【図２】この考案の部分組み合わせの説明図である。
【図３】この考案の外観斜視図である。
【図４】この考案の構造断面図である。
【符号の説明】
【０００８】
１         濾過筒
１１       入水口
１２       出水口
１３       支持脚
１４       排汚口
２         主支持枠
２１       軸受台座
２２       モータ台座
２２１     中央孔
３         駆動モータ
３１       軸ざや
４         濾過部材支持枠
４１       枢軸
５         濾過部材
６         濾過筒蓋
【図１】
0003158275.tif 000003
【図２】
0003158275.tif 000004
【図３】
0003158275.tif 000005
【図４】
0003158275.tif 000006
(57)【要約】      （修正有）【課題】トルク値と強度に優れた六角レンチ構造を提供する。【解決手段】本六角レンチ２は、グリップ２１と操作部位２２とからなる。グリップと操作部位前端はそれぞれ、末端２１１、２２１を有し、末端の軸線２１２、２２２と六角レンチ中心軸は平行状で、末端からグリップと操作部位に延伸する軸線が六角レンチ中心軸と非平行状で設置され、使用者が、六角レンチの末端をソケットスクリューの六角孔内に入れて使用し、使用時に生成されるせん断応力を受ける時、グリップと操作部位の軸線は六角レンチ中心軸と非平行状に設置されているので、六角レンチの強度を増加することができる。【選択図】図１
0003158284.tif 000002
【実用新案登録請求の範囲】
【請求項１】
グリップと操作部位とからなる六角レンチであって、前記グリップと前記操作部位前端はそれぞれ、末端を有し、前記末端から前記グリップと前記操作部位に延伸する軸線が前記六角レンチ中心軸と非平行状に設置されてなることを特徴とする六角レンチ。
【請求項２】
前記グリップと前記操作部位の軸線は螺旋状に設置されてなることを特徴とする請求項１に記載の六角レンチ。  
【請求項３】
前記末端の軸線は前記六角レンチの中心軸と平行状に設置されてなることを特徴とする請求項１に記載の六角レンチ。
【請求項４】
前記末端と前記グリップと前記操作部位は一体成型であることを特徴とする請求項１に記載の六角レンチ。
【考案の詳細な説明】
【技術分野】
【０００１】
本考案は、六角レンチに関するものであり、さらに詳しくは、六角レンチのトルク値とその強度を増加させてなる六角レンチの構造に関するものである。
【背景技術】
【０００２】
図２に示すように、従来公知の六角レンチ１は、グリップ１１と操作部位１２とからなるものであり、使用者はグリップ１１を握って、操作部位１２をソケットスクリューの六角孔内に挿入し、スクリューの取り外し又は締結のために使用するものである。
【０００３】
六角レンチは、使用時にせん断応力を受けるが、そのせん断応力は、六角レンチの強度とトルクの大小によって決まる。トルクの大小は、六角レンチのねじれ径度とトルク値を含み、標準的な六角レンチが受けるねじれ径度は同一である。つまり、受けることができるトルク値の大小が六角レンチが受けるせん断応力を決定するのであり、トルク値は六角レンチの硬度と靭性により決定される。また、一般の六角レンチを製造する材質は、主に、中炭素鋼、ニッケルクロムモリブデン鋼、クロムバナジウム合金鋼であり、後者二つは硬度も靭性も高いがコストも高いという事情にある。
【０００４】
よって、一般には中炭素鋼が使用され、コストは高くないが、硬度と靭性が不足し、使用時に硬度不足でねじれ径度が不足し、六角レンチが変形するという問題がある。
【０００５】
従って、通常、熱処理でその硬度を増加させているが、硬度が増加すると、トルク値が不足し、使用時に六角レンチに裂痕や断裂が生じやすいという難点がある。
【０００６】
かかる状況下において、六角レンチに関して、各種の提案があるが、例えば、特許文献１によれば、短尺部と長尺部との湾曲連設部の内角部に該内角部を可及的に直角にすべく凹部を設けた六角レンチが提案が開示されているが、六角レンチのトルク値と強度を増加させるような点については開示されていない。
【特許文献１】特開２００２−３６１３０号公報
【考案の開示】
【考案が解決しようとする課題】
【０００７】
従って、本考案の課題は、トルク値と強度を増加させた六角レンチを提供する点にある。
【課題を解決するための手段】
【０００８】
そこで、本考案者は、上記の本考案の課題を解決するために鋭意検討を重ねた結果、グリップ部と操作部位の軸線が螺旋状をなし、螺旋状の軸線と六角レンチの中心軸が非平行状となしたことにより、六角レンチの強度が増加することに着目し、かかる知見に基いて本考案を想到するに至った。
【０００９】
すなわち、本考案の目的は、上記の問題点を解決し強度とトルク値の高い六角レンチを提供する点にある。
【００１０】
かくして、本発明によれば、
請求項１において、
グリップと操作部位とからなる六角レンチであって、前記グリップと前記操作部位前端はそれぞれ、末端を有し、前記末端から前記グリップと前記操作部位に延伸する軸線が前記六角レンチ中心軸と非平行状に設置されてなることを特徴とする六角レンチが提供される。
【００１１】
請求項２に係る考案によれば、
前記グリップと前記操作部位の軸線は螺旋状に設置されてなることを特徴とする請求項１に記載の六角レンチが提供される。
【００１２】
請求項３に係る考案によれば、
前記末端の軸線は前記六角レンチの中心軸と平行状に設置されてなることを特徴とする請求項１に記載の六角レンチが提供される。
【００１３】
請求項４に係る考案によれば、
前記末端と前記グリップと前記操作部位は一体成型であることを特徴とする請求項１に記載の六角レンチが提供される。
【００１４】
本考案の六角レンチは、グリップと操作部位の軸線が螺旋状をなし、螺旋状の軸線と六角レンチの中心軸が非平行状であり、六角レンチの強度を増加し、六角レンチが受けることができる力を増加させたものである。
【考案の効果】
【００１５】
本考案に係る六角レンチは、上記の構成からなるものであり、強度とトルク値が増加させた六角レンチを提供することができる。
【図面の簡単な説明】
【００１６】
【図１】本考案の一実施形態による六角レンチを示す斜視図である。
【図２】公知の六角レンチを示す斜視図である。
【考案を実施するための最良の形態】
【００１７】
図１は本考案の六角レンチを示す図である。図１によれば、本考案に係る六角レンチは主に、グリップ２１と操作部位２２とからなることが示されている。グリップ２１と操作部位２２前端はそれぞれ、末端２１１、２２１を有し、末端２１１、２２１の軸線と六角レンチ中心軸は平行状で、末端２１１、２２１からグリップ２１と操作部位２２に延伸する軸線２１２、２２２が六角レンチ中心軸と非平行状で設置され、螺旋設置されている。
【００１８】
使用者は六角レンチ２の末端２１１、２２１をソケットスクリューの六角孔内に入れて、スクリューを取り外したり、締結したりでき、使用時に発生するせん断応力を受け、六角レンチ２のグリップ２１と操作部位２２の軸線２１２、２２２は六角レンチ中心軸と非平行（螺旋）状に設置されて、六角レンチ２の強度を増加し、硬度と靭性を増加させて、トルク値を維持し、既存の強度を達成し、六角レンチ２の使用時の裂痕や断裂を防止することができる。
【００１９】
本考案に係る六角レンチの好ましい実施例を前述の通り開示したが、これらは決して本考案を限定するものではない。また、当該技術を熟知する者なら誰でも、本考案の精神と領域を脱しない範囲内で各種の変更を加えることができ、従って本考案に係る実用新案請求の範囲及び明細書の内容に基く変更又は修正は、本考案の保護範囲に属することは明らかである。
【符号の説明】
【００２０】
１、２          六角レンチ
１１、２１      グリップ
１２、２２      操作部位
２１１、２２１  末端
２１２、２２２  軸線
【図１】
0003158284.tif 000003
【図２】
0003158284.tif 000004